【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
試験デバイス（１３０）中において試験試料（１２４：１１０２）に対して行われている試験を遠隔で監視する方法であって、前記方法は、
前記試験に関する情報を受信することと、
前記試験デバイスから遠隔のコンピューティングデバイス（１１；１５６；１５７；１５８）のディスプレイ上に情報メッセージ（１２Ａ；１２Ｂ；１２Ｃ）をレンダリングすることであって、前記情報メッセージは、前記試験デバイス（１３０）を示す第１の部分、前記試験デバイス（１３０）または前記試験デバイス（１３０）上で実施されている試験のうちの少なくとも１つに関連する情報を示す第２の部分、および前記第２の部分が生じてから経過した時間（２２）を示す第３の部分を有する、ことと、
前記経過した時間（２２）を示す前記第３の部分を更新することと
を含む、方法。
【請求項２】
前記試験に関する情報は、試験失敗の指示を含み、レンダリングすることは、前記失敗に関する情報メッセージをレンダリングすることをさらに含む、請求項１に記載の方法。
【請求項３】
前記試験に関する情報は、前記失敗の画像またはビデオ、または前記試験の画像またはビデオを含み、レンダリングすることは、前記失敗の画像またはビデオ、または前記試験の画像またはビデオへのリンクをレンダリングすることをさらに含む、請求項２に記載の方法。
【請求項４】
前記試験、前記試験デバイス、および／または前記試験デバイスに関連付けられた構成要素に関するアラートに関する情報を受信することと、前記アラートを前記ディスプレイ上にレンダリングすることとをさらに含む、請求項１−３のいずれかに記載の方法。
【請求項５】
前記ディスプレイ上に時系列方式で一連の情報メッセージ（１２Ａ；１２Ｂ；１２Ｃ）をレンダリングすることをさらに含み、前記情報メッセージが前記ディスプレイ上にレンダリングされているとき、前記一連の情報メッセージ内の各情報メッセージの各第３の部分は、各情報メッセージの対応する第２の部分から経過した時間（２２）を示し続ける、請求項１−４のいずれかに記載の方法。
【請求項６】
前記一連の情報メッセージは、少なくとも２つの異なる試験デバイスによって提供される情報に関連し、または、前記一連の情報メッセージは、試験デバイス、前記試験デバイスに接続されている構成要素、および／または前記情報メッセージを監視することが認可されたユーザ間の通信のみに関連する、請求項５に記載の方法。
【請求項７】
情報メッセージのためのグラフィカルアイコン（２０）を関連付けること、または、試験デバイスの画像（１８）をその試験デバイスに対する情報メッセージに関連付けることをさらに含む、請求項１−６のいずれかに記載の方法。
【請求項８】
前記コンピューティングデバイスのユーザから情報を受信することをさらに含み、前記情報は、前記試験デバイスに関連付けられた少なくとも１つのパラメータ、前記試験デバイスに接続されている構成要素、および／または前記情報メッセージを監視することを認可されたユーザ間の通信が情報メッセージにおいて送信されるべきことを示す、請求項１−７のいずれかに記載の方法。
【請求項９】
コンピューティングデバイス（１１２０）であって、
記憶デバイス（１１２４：１１２５）と、
ディスプレイ（１１４２）と、
前記記憶デバイス（１１２５）、および前記ディスプレイ（１１４２）に動作可能に接続されているプロセッサ（１１２６）と
を備え、
前記プロセッサ（１１２６）は、
試験デバイス（１３０）上で行われている試験に関する情報、または前記試験デバイス（１３０）に関連する情報を受信することと、
前記ディスプレイ（１１４２）上に情報メッセージ（１２Ａ；１２Ｂ；１２Ｃ）をレンダリングすることであって、前記情報メッセージは、前記試験デバイス（１３０）を示す第１の部分、前記試験デバイス（１３０）または前記試験デバイス（１３０）中に試験されている試料（１２４；１１０２）上で実施されている試験のうちの少なくとも１つに関連する情報を示す第２の部分、および前記第２の部分が生じてから経過した時間（２２）を示す第３の部分を有する、ことと、
前記経過した時間（２２）を示す前記第３の部分を更新することと
を行うように構成されている、コンピューティングデバイス。
【請求項１０】
前記プロセッサは、
前記試験に関連付けられた画像またはビデオを受信することと、
前記ディスプレイ上に前記試験に関連付けられた前記画像またはビデオをレンダリングすることと
を行うようにさらに構成されている、請求項９に記載のコンピューティングデバイス。
【請求項１１】
前記試験デバイス（１３０）、前記試験デバイス（１３０）上に試験されている前記試料、または試験プラットフォームの画像を捕捉するように構成されている画像捕捉デバイス（１３２；２４２）をさらに備え、
前記画像捕捉デバイスは、前記画像捕捉デバイスから前記画像および前記試験に関する情報を受信する前記コンピューティングデバイスに動作可能に接続され、
前記プロセッサは、前記試験を通した選択可能な量の進捗で、前記ディスプレイ上に前記試験デバイスのパラメータを示す情報メッセージをレンダリングするように構成されている、請求項９−１０のいずれかに記載のコンピューティングデバイス。
【請求項１２】
前記画像捕捉デバイスは、失敗に応じて、試験動作の前記失敗に関連付けられた画像を前記コンピューティングデバイスに伝達するように構成され、または、前記画像捕捉デバイスは、前記試験動作のビデオを捕捉し、前記コンピューティングデバイスに、前記試験動作に関連付けられたビデオを伝達するように構成され、または、前記画像捕捉デバイスは、失敗に応じて、前記試験動作の前記失敗に関連付けられたビデオを前記コンピューティングデバイスに伝達するように構成され、または、前記コントローラは、前記ディスプレイ上に、前記試験デバイスの状態に対するアラートをレンダリングするようにさらに構成されている、請求項１１に記載のコンピューティングデバイス。
【請求項１３】
１つ以上のコントローラユニット（１３４）を通して動作させられる１つ以上の遠隔で位置する試験デバイス（１３０）を含む遠隔で位置する試験システムを監視するためのモバイルデータプラットフォーム（１１；１５６；１５７；１５８）であって、
前記１つ以上の遠隔で位置する試験デバイス（１３０）上で動作可能な１つ以上の試験に関する情報を受信するための通信デバイスと、
グラフィカルユーザインターフェースを呼び出し、前記受信される情報を表示するように構成されているディスプレイ構成要素と
を備え、
前記受信される情報は、個々のユーザによって識別されるパラメータによって、その個々のユーザに対して決定される、モバイルデータプラットフォーム。
【請求項１４】
前記受信される情報は、前記ディスプレイ構成要素上にレンダリングされ、情報メッセージを含み、前記情報メッセージは、試験デバイスを示す第１の部分、試験機械または前記試験デバイス上で実施されている試験のうちの少なくとも１つに関連する情報を示す第２の部分、および前記第２の部分が生じてから経過した時間を示す第３の部分を有する、請求項１３に記載のモバイルデータプラットフォーム。
【請求項１５】
前記受信される情報の第３の部分は、前記情報メッセージに関連付けられたイベントが生じてから経過した時間を示すように更新される、請求項１４に記載のモバイルデータプラットフォーム。
【請求項１６】
試験デバイスであって、
コントローラを有する試験プラットフォームであって、前記コントローラは、前記試験プラットフォームに動作可能に連結されている、試験プラットフォームと、
前記コントローラに動作可能に連結され、試験、前記試験プラットフォーム、または前記試験プラットフォーム上の試験試料に関する情報を捕捉する画像捕捉デバイスと
を備え、
前記コントローラは、情報メッセージを生成するように構成され、前記情報メッセージは、１つ以上の試験デバイスのうちの試験デバイスを示す第１の部分、前記試験デバイスまたは前記試験デバイス上で実施されている試験に関連する情報を示す第２の部分、および前記第２の部分が生じてから経過した時間を示す第３の部分を有する、試験デバイス。
【請求項１７】
コンピュータ記憶媒体上に記憶された命令を含み、コンピューティングデバイスの１つ以上のハードウェア構成要素を通して動作可能なモバイルアプリケーションツールであって、
１つ以上の試験デバイスから情報メッセージを読み出すように構成されているモバイル試験インターフェース構成要素であって、前記情報メッセージは、前記１つ以上の試験デバイス上で動作可能な１つ以上の試験に関連付けられている、モバイル試験インターフェース構成要素と、
グラフィカルユーザインターフェースを呼び出し、前記読み出された情報メッセージを表示するように構成されているディスプレイ構成要素と
を備え、
前記情報メッセージは、前記１つ以上の試験デバイスのうちの試験デバイスを示す第１の部分、前記試験デバイスまたは前記試験デバイス上で実施されている試験に関連する情報を示す第２の部分、および前記第２の部分が生じてから経過した時間を示す第３の部分を有する、モバイルアプリケーションツール。
【手続補正２】
【補正対象書類名】明細書
【補正対象項目名】００３３
【補正方法】変更
【補正の内容】
【００３３】
本発明の他の側面は、請求項１−１１に記載の方法のいずれかを実装するためのコンピ
ューティングデバイス、システム、および／またはモバイルツールを含む。
本願明細書は、例えば、以下の項目も提供する。
（項目１）
試験試料に対して行われている試験を遠隔で監視する方法であって、前記方法は、
前記試験に関する情報を受信することと、
前記試験デバイスから遠隔のコンピューティングデバイスのディスプレイ上に情報メッ
セージをレンダリングすることであって、前記情報メッセージは、試験デバイスを示す第
１の部分、前記試験デバイスまたは前記試験デバイス上で実施されている試験に関連する
情報を示す第２の部分、および前記第２の部分が生じてから経過した時間を示す第３の部
分を有する、ことと、
前記経過した時間を示す前記第３の部分を更新することと
を含む、方法。
（項目２）
前記試験に関する情報は、試験失敗の指示を含み、レンダリングすることは、前記失敗
に関する情報メッセージをレンダリングすることをさらに含む、項目１に記載の方法。
（項目３）
前記試験に関する情報は、前記失敗の画像またはビデオを含み、レンダリングすること
は、前記失敗の画像またはビデオへのリンクをレンダリングすることをさらに含む、請求
項２に記載の方法。
（項目４）
前記試験に関する情報は、前記試験動作の画像またはビデオを含み、レンダリングする
ことは、前記画像またはビデオへのリンクをレンダリングすることをさらに含む、項目
１−３のいずれかに記載の方法。
（項目５）
前記試験、前記試験デバイス、および／または前記試験デバイスに関連付けられた構成
要素に関するアラートに関する情報を受信することと、前記アラートを前記ディスプレイ
上にレンダリングすることとをさらに含む、項目１−４のいずれかに記載の方法。
（項目６）
前記ディスプレイ上に時系列方式で一連の情報メッセージをレンダリングすることをさ
らに含み、前記情報メッセージが前記ディスプレイ上にレンダリングされているとき、前
記一連の情報メッセージ内の各情報メッセージの各第３の部分は、各情報メッセージの対
応する第２の部分から経過した時間を示し続ける、項目１−５のいずれかに記載の方法
。
（項目７）
前記一連の情報メッセージは、少なくとも２つの異なる試験デバイスによって提供され
る情報に関連する、項目６に記載の方法。
（項目８）
前記一連の情報メッセージは、試験デバイス、前記試験デバイスに接続されている構成
要素、および／または前記情報メッセージを監視することが認可されたユーザ間の通信の
みに関連する、項目６に記載の方法。
（項目９）
情報メッセージのためのグラフィカルアイコンを関連付けることをさらに含む、項目
１−８のいずれかに記載の方法。
（項目１０）
試験デバイスの画像をその試験デバイスに対する情報メッセージに関連付けることをさ
らに含む、項目１−９のいずれかに記載の方法。
（項目１１）
前記コンピューティングデバイスのユーザから情報を受信することをさらに含み、前記
情報は、前記試験デバイスに関連付けられた少なくとも１つのパラメータ、前記試験デバ
イスに接続されている構成要素、および／または前記情報メッセージを監視することを認
可されたユーザ間の通信が情報メッセージにおいて送信されるべきことを示す、項目１
−１０のいずれかに記載の方法。
（項目１２）
コンピューティングデバイスであって、
試験デバイス上で行われている試験に関する情報、または前記試験デバイスに関連する
情報を受信するように構成されているインターフェースと、
記憶デバイスと、
ディスプレイと、
前記インターフェース、前記記憶デバイス、および前記ディスプレイに動作可能に接続
されているプロセッサと
を備え、
前記プロセッサは、
前記試験に関する情報を受信することと、
前記ディスプレイ上に情報メッセージをレンダリングすることであって、前記情報メッ
セージは、前記試験デバイスを示す第１の部分、前記試験デバイスまたは前記試験デバイ
ス上で実施されている試験に関連する情報を示す第２の部分、および前記第２の部分が生
じてから経過した時間を示す第３の部分を有する、ことと、
前記経過した時間を示す前記第３の部分を更新することと
を行うように構成されている、コンピューティングデバイス。
（項目１３）
前記プロセッサは、
試験動作に関連付けられた画像またはビデオを受信することと、
前記ディスプレイ上に前記試験動作に関連付けられた前記画像またはビデオをレンダリ
ングすることと
を行うようにさらに構成されている、項目１２に記載のコンピューティングデバイス
。
（項目１４）
試験デバイス上の試験動作を監視するように構成されているシステムであって、
画像捕捉デバイスと、
前記画像捕捉デバイスに動作可能に接続され、前記画像捕捉デバイスから前記試験動作
に関する情報を受信するコンピューティングデバイスと
を備え、
前記コンピューティングデバイスは、コントローラを有し、前記コントローラは、
前記試験動作に関する情報を受信することと、
前記試験動作を通した選択可能な量の進捗で、ディスプレイ上に前記試験デバイスのパ
ラメータを示す情報メッセージをレンダリングすることと
を行うように構成されている、システム。
（項目１５）
前記コンピューティングデバイスはさらに、前記画像捕捉デバイスに動作可能に接続さ
れ、前記ディスプレイ上に情報メッセージをレンダリングすることであって、前記情報メ
ッセージは、前記試験デバイスを示す第１の部分、前記試験デバイスまたは前記試験デバ
イス上で実施されている試験に関連する情報を示す第２の部分、および前記第２の部分が
生じてから経過した時間を示す第３の部分を有する、ことと、経過した時間を示す前記第
３の部分を更新することとを行う、項目１４に記載のシステム。
（項目１６）
前記画像捕捉デバイスは、試験動作の画像を捕捉し、前記コンピューティングデバイス
に、前記試験動作に関連付けられた画像を伝達するように構成されている、項目１４−
１５のいずれかに記載のシステム。
（項目１７）
前記画像捕捉デバイスは、失敗に応じて、前記試験動作の前記失敗に関連付けられた画
像を前記コンピューティングデバイスに伝達するように構成されている、項目１６に記
載のシステム。
（項目１８）
前記画像捕捉デバイスは、試験動作のビデオを捕捉し、前記コンピューティングデバイ
スに、前記試験動作に関連付けられたビデオを伝達するように構成されている、項目１
４−１７のいずれかに記載のシステム。
（項目１９）
前記画像捕捉デバイスは、失敗に応じて、前記試験動作の前記失敗に関連付けられたビ
デオを前記コンピューティングデバイスに伝達するように構成されている、項目１８に
記載のシステム。
（項目２０）
前記コントローラは、前記ディスプレイ上に、前記試験デバイスの状態に対するアラー
トをレンダリングするようにさらに構成されている、項目１４−１９のいずれかに記載
のシステム。
（項目２１）
試験デバイスであって、
コントローラを有する試験プラットフォームであって、前記コントローラは、前記試験
プラットフォームに動作可能に連結されている、試験プラットフォームと、
前記コントローラに動作可能に連結され、試験、前記試験プラットフォーム、または前
記試験プラットフォーム上の試験試料に関する情報を捕捉する画像捕捉デバイスと
を備え、
前記コントローラは、情報メッセージを生成するように構成され、前記情報メッセージ
は、１つ以上の試験デバイスのうちの試験デバイスを示す第１の部分、前記試験デバイス
または前記試験デバイス上で実施されている試験に関連する情報を示す第２の部分、およ
び前記第２の部分が生じてから経過した時間を示す第３の部分を有する、試験デバイス。
（項目２２）
コンピュータ記憶媒体上に記憶された命令を含み、コンピューティングデバイスの１つ
以上のハードウェア構成要素を通して動作可能なモバイルアプリケーションツールであっ
て、
１つ以上の試験デバイスから情報メッセージを読み出すように構成されているモバイル
試験インターフェース構成要素であって、前記情報メッセージは、前記１つ以上の試験デ
バイス上で動作可能な１つ以上の試験に関連付けられている、モバイル試験インターフェ
ース構成要素と、
グラフィカルユーザインターフェースを呼び出し、前記読み出された情報メッセージを
表示するように構成されているディスプレイ構成要素と
を備え、
前記情報メッセージは、前記１つ以上の試験デバイスのうちの試験デバイスを示す第１
の部分、前記試験デバイスまたは前記試験デバイス上で実施されている試験に関連する情
報を示す第２の部分、および前記第２の部分が生じてから経過した時間を示す第３の部分
を有する、モバイルアプリケーションツール。
（項目２３）
前記ツールは、アラート機能を含み、前記アラート機能は、アクティブ化されると、前
記１つ以上の試験デバイスに対するアラート通知を読み出す、項目２２に記載のモバイ
ルアプリケーションツール。
（項目２４）
前記１つ以上の試験デバイスのうちの試験デバイスに対する試験サイクルまたは試験の
完了を示す情報メッセージを提供するためのアラート機能をさらに備えている、項目２
２−２３のいずれかに記載のモバイルアプリケーションツール。
（項目２５）
１つ以上のコントローラユニットを通して動作させられる１つ以上の試験デバイスを含
む試験システムを監視するためのモバイルデータプラットフォームであって、
前記１つ以上の試験デバイス上で動作可能な１つ以上の試験に関する情報を受信するた
めの通信プラットフォームと、
グラフィカルユーザインターフェースを呼び出し、前記受信される情報を表示するよう
に構成されているディスプレイ構成要素と
を備え、
前記受信される情報は、個々のユーザによって識別されるパラメータによって、その個
々のユーザに対して決定される、モバイルデータプラットフォーム。
（項目２６）
前記受信される情報は、前記ディスプレイ構成要素上にレンダリングされ、情報メッセ
ージを含み、前記情報メッセージは、試験デバイスを示す第１の部分、前記試験機械また
は前記試験デバイス上で実施されている試験に関連する情報を示す第２の部分、および前
記第２の部分が生じてから経過した時間を示す第３の部分を有する、項目２５に記載の
モバイルデータプラットフォーム。
（項目２７）
前記受信される情報の前記第３の部分は、前記情報メッセージに関連付けられたイベン
トが生じてから経過した時間を示すように更新される、項目２６に記載のモバイルデー
タプラットフォーム。
（項目２８）
項目１−１１に記載の方法のいずれかを実装するためのコンピューティングデバイス
。
（項目２９）
項目１−１１に記載の方法のいずれかを実装するためのシステム。
（項目３０）
項目１−１１に記載の方法のいずれかを実装するためのモバイルツール。